(57)【要約】【課題】省エネを図ることができ、かつ、血流量を増加して人体に良い影響を及ぼすことができる浴槽装置を提供する。【解決手段】浴槽装置は、ナノバブル発生部２と浴槽部３と貯湯タンクユニット２７とヒートポンプユニット２８とを有する。上記ナノバブル発生部２は、水中のマイクロバブルをせん断圧壊しナノバブルを発生してナノバブルを含有するナノバブル含有水を作成する。上記貯湯タンクユニット２７は、上記ナノバブル発生部２に環状に接続される。上記ヒートポンプユニット２８は、上記貯湯タンクユニット２７に接続される。上記浴槽部３は、上記ナノバブル発生部２と上記貯湯タンクユニット２７との間を循環し上記ヒートポンプユニット２８によって加熱された上記ナノバブル含有水が供給される。【選択図】図１
2008178440.tif 000002
【特許請求の範囲】
【請求項１】
水中のマイクロバブルをせん断圧壊しナノバブルを発生させてナノバブルを含有するナノバブル含有水を作成するナノバブル発生部と、
このナノバブル発生部に環状に接続される貯湯タンクユニットと、
この貯湯タンクユニットに接続されるヒートポンプユニットと、
上記ナノバブル発生部と上記貯湯タンクユニットとの間を循環し上記ヒートポンプユニットによって加熱された上記ナノバブル含有水が供給される浴槽部と
を備えることを特徴とする浴槽装置。
【請求項２】
請求項１に記載の浴槽装置において、
上記ナノバブル発生部は、
上記浴槽部に設置される濁度計と、
この濁度計からの信号を受ける濁度調節計と、
この濁度調節計からの信号を受ける制御部と、
この制御部からの信号により制御されるナノバブル発生機と
を備えることを特徴とする浴槽装置。
【請求項３】
請求項１に記載の浴槽装置において、
上記ヒートポンプユニットは、順に環状に接続される空気用熱交換器、コンプレッサー、水加熱用熱交換器および膨張部を有することを特徴とする浴槽装置。
【請求項４】
請求項１に記載の浴槽装置において、
上記貯湯タンクユニットは、上記ナノバブル含有水を内部に収容する貯湯タンクを有し、
この貯湯タンク内に、充填材が配置されていることを特徴とする浴槽装置。
【請求項５】
請求項４に記載の浴槽装置において、
上記充填材は、活性炭であることを特徴とする浴槽装置。
【請求項６】
請求項４に記載の浴槽装置において、
上記充填材は、木炭であることを特徴とする浴槽装置。
【請求項７】
請求項４に記載の浴槽装置において、
上記充填材は、ひも状型ポリ塩化ビニリデン充填物であることを特徴とする浴槽装置。
【請求項８】
請求項４に記載の浴槽装置において、
上記充填材は、リング型ポリ塩化ビニリデン充填物であることを特徴とする浴槽装置。
【請求項９】
請求項２に記載の浴槽装置において、
上記ナノバブル発生機は、
マイクロバブル発生部を有する気液混合循環ポンプと、
上記マイクロバブル発生部に接続されて上記マイクロバブル発生部への空気の流量を調整するバルブと、
上記気液混合循環ポンプの下流側に接続されると共に上記気液混合循環ポンプから発生したマイクロバブルをナノバブルにせん断する気体せん断部と
を有することを特徴とする浴槽装置。
【請求項１０】
請求項９に記載の浴槽装置において、
上記制御部は、上記バルブの開度を制御することを特徴とする浴槽装置。
【請求項１１】
請求項９に記載の浴槽装置において、
上記気液混合循環ポンプの回転数を制御する回転数制御機を設け、
上記制御部は、上記回転数制御機を制御することを特徴とする浴槽装置。
【請求項１２】
請求項２に記載の浴槽装置において、
上記ナノバブル発生機は、ナノバブルとマイクロナノバブルとを選択的に、製造することを特徴とする浴槽装置。
【請求項１３】
請求項９に記載の浴槽装置において、
上記気体せん断部は、旋回流型バブル発生機であることを特徴とする浴槽装置。
【請求項１４】
請求項１に記載の浴槽装置を有することを特徴とする糖尿病治療装置。
【請求項１５】
請求項１に記載の浴槽装置を有することを特徴とする美容装置。
【請求項１６】
請求項１に記載の浴槽装置を有することを特徴とする育毛促進装置。
【請求項１７】
請求項１に記載の浴槽装置を有することを特徴とする中枢神経疾患装置。
【請求項１８】
請求項１に記載の浴槽装置を有することを特徴とする心血管系疾患装置。
【請求項１９】
請求項１に記載の浴槽装置を有することを特徴とする代謝異常疾患装置。
【請求項２０】
請求項１に記載の浴槽装置を有することを特徴とする消化器疾患装置。
【請求項２１】
請求項１に記載の浴槽装置を有することを特徴とする運動器疾患装置。
【請求項２２】
請求項１に記載の浴槽装置を有することを特徴とする皮膚科領域疾患装置。
【発明の詳細な説明】
【技術分野】
【０００１】
この発明は、ナノバブル含有水を利用した浴槽装置、上記浴槽装置を有する糖尿病治療装置、上記浴槽装置を有する美容装置、上記浴槽装置を有する育毛促進装置、上記浴槽装置を有する中枢神経疾患装置、上記浴槽装置を有する心血管系疾患装置、上記浴槽装置を有する代謝異常疾患装置、上記浴槽装置を有する消化器疾患装置、上記浴槽装置を有する運動器疾患装置、および、上記浴槽装置を有する皮膚科領域疾患装置に関する。
【背景技術】
【０００２】
従来、浴槽装置としては、マイクロナノバブル発生機を利用した浴槽装置があり、マイクロナノバブルの発生量が少ないと共に、マイクロナノバブルのサイズの範囲が狭くて、マイクロナノバブルバブルが人体、特に血流、に及ぼす影響は、小さかった。
【０００３】
詳しくは、日本では糖尿病患者が多く、糖尿病患者においては、足の末端付近の血流悪化を原因とする壊疽による足の切断等が必要になることすらある。
【０００４】
ここで、人の足の血流が悪化した場合に効果がある改善方法としては、浴槽システムに、多数の旋回流方式のマイクロナノバブル発生機を設置し（現在知られているものとしては、１０台の旋回流方式のマイクロナノバブル発生機を設置し）、浴槽水内に大量のマイクロナノバブルを発生させる方法がある。
【０００５】
しかしながら、この方法は、多数のマイクロナノバブル発生機を運転するための電気代や、多数のマイクロナノバブル発生機のイニシャルコストに起因する浴槽の製造コストが高く、この方法を実用化することは、現実的ではない。また、従来のマイクロナノバブル発生機を利用した浴槽装置では、水温の上昇に、省エネを考慮していなかった。
【０００６】
すなわち、省エネを図ることができ、かつ、血流量を増加して人体に良い影響を及ぼすことができる浴槽装置は、見出されていない。
【０００７】
ここで、従来、ナノバブルを利用した方法及び装置としては、特開２００４−１２１９６２号公報（特許文献１）に記載されているものがある。
【０００８】
この装置および方法は、ナノバブルが有する浮力の減少、表面積の増加、表面活性の増大、局所高圧場の生成、および、静電分極の実現による界面活性作用と殺菌作用などの特性を活用している。より具体的には、それらを相互に関連させることによって、汚れ成分の吸着機能、物体表面の高速洗浄機能、および、殺菌機能による各種物体の高機能かつ低環境負荷での洗浄を実現でき、汚濁水の浄化を行うことができることを開示している。
【０００９】
また、従来、ナノ気泡を生成する方法としては、特開２００３−３３４５４８号公報（特許文献２）に記載されているものがある。この方法は、液体中において、液体の一部を分解ガス化する工程、液体中で超音波を印加する工程、または、液体の一部を分解ガス化する工程及び超音波を印加する工程から構成されている。
【００１０】
また、従来、オゾンマイクロバブルを利用する廃液の処理装置としては、特開２００４−３２１９５９号公報（特許文献３）に記載されているものがある。
【００１１】
この処理装置は、マイクロバブル発生装置に、オゾン発生装置より生成されたオゾンガスと処理槽の下部から抜き出された廃液を加圧ポンプを介して供給している。また、生成されたオゾンマイクロバブルをガス吹き出しパイプの開口部より処理槽内の廃液中に通気している。
【００１２】
しかしながら、上記３つの既存の技術を参照しても、省エネを図ることができ、かつ、血流量を増加して人体に良い影響を及ぼすことができる浴槽装置を実現することは困難になっている。
【特許文献１】特開２００４−１２１９６２号公報
【特許文献２】特開２００３−３３４５４８号公報
【特許文献３】特開２００４−３２１９５９号公報
【発明の開示】
【発明が解決しようとする課題】
【００１３】
そこで、本発明の課題は、省エネを図ることができ、かつ、血流量を増加して人体に良い影響を及ぼすことができる浴槽装置、上記浴槽装置を有する糖尿病治療装置、上記浴槽装置を有する美容装置、および、上記浴槽装置を有する育毛促進装置を提供することにある。
【課題を解決するための手段】
【００１４】
上記課題を解決するため、この発明の浴槽装置は、
水中のマイクロバブルをせん断圧壊しナノバブルを発生させてナノバブルを含有するナノバブル含有水を作成するナノバブル発生部と、
このナノバブル発生部に環状に接続される貯湯タンクユニットと、
この貯湯タンクユニットに接続されるヒートポンプユニットと、
上記ナノバブル発生部と上記貯湯タンクユニットとの間を循環し上記ヒートポンプユニットによって加熱された上記ナノバブル含有水が供給される浴槽部と
を備えることを特徴としている。
【００１５】
ここで、上記マイクロバブルとは、１０μｍ〜数十μｍの直径を有する気泡をいい、水中で縮小していき、ついには消滅（完全溶解）してしまう。上記ナノバブルとは、数百ｎｍ以下の直径を有する気泡をいい、具体的には、１μｍ以下の１０ｎｍ〜９００ｎｍの直径を有する気泡をいう。上記ナノバブルは、１０日以上水の中に存在し、上記ナノバブルを含有する水は、透明である。
【００１６】
この発明の浴槽装置によれば、上記ナノバブル発生部によって、水中のマイクロバブルをせん断圧壊しナノバブルを発生させてナノバブルを含有するナノバブル含有水を作成するので、上記マイクロバブルをせん断圧壊し上記ナノバブルを発生するときに発熱し、この熱を利用して、上記ナノバブル含有水を加熱できる。また、上記ナノバブル含有水は、マイクロナノバブル含有水よりも、血流量を増加できて、人体に良い影響を及ぼすことができる。
【００１７】
したがって、上記ナノバブル発生部および上記ヒートポンプユニットによって、上記ナノバブル含有水を加熱できて、省エネを図ることができ、かつ、上記ナノバブル含有水によって、血流量を増加して人体に良い影響を及ぼすことができる。
【００１８】
詳しく述べると、本発明では、以下の特徴点(i)〜(v)を、見出した。
【００１９】
特徴点(i)では、ナノバブルがせん断圧壊時に多量の熱を発生することを見出し、特に、上記貯湯タンクユニットと上記ナノバブル発生部との間で、循環運転すると、上記貯湯タンクユニットの水温が大幅に上昇することを見出した。
【００２０】
特徴点(ii)では、上記貯湯タンクユニットの水温を上昇させる方法として、ナノバブルがせん断圧壊時する時の多量の熱、および、上記ヒートポンプユニットからの熱を、上記貯湯タンクユニットにて混合蓄熱して利用するシステムの構築が、新規の省エネになることを見出した。
【００２１】
特徴点(iii)では、マイクロナノバブルよりもナノバブルの方が、血流量の増加が期待でき、糖尿病治療には、有効であることを見出した。
【００２２】
特徴点(iv)では、糖尿病治療には、薬物療法としての血糖降下薬による治療に合わせて、ナノバブル浴槽による血流量増加治療を同時に合わせて実施した方が、より効果的であることを見出した。
【００２３】
特徴点(v)では、上記浴槽部のナノバブル含有水を、シャワーに利用すれば、洗顔効果があることを見出し、また、上記浴槽部のナノバブル含有水を、洗濯機でリサイクル使用すれば、ナノバブル含有水の洗浄力によって、洗濯機での洗剤使用量を削減できることを見出した。
【００２４】
また、一実施形態の浴槽装置では、
上記ナノバブル発生部は、
上記浴槽部に設置される濁度計と、
この濁度計からの信号を受ける濁度調節計と、
この濁度調節計からの信号を受ける制御部と、
この制御部からの信号により制御されるナノバブル発生機と
を備える。
【００２５】
この実施形態の浴槽装置によれば、上記ナノバブル発生部は、上記浴槽部に設置される濁度計と、この濁度計からの信号を受ける濁度調節計と、この濁度調節計からの信号を受ける制御部と、この制御部からの信号により制御されるナノバブル発生機とを備えるので、ナノバブルを合理的にまた正確に発生させることができる。
【００２６】
また、一実施形態の浴槽装置では、上記ヒートポンプユニットは、順に環状に接続される空気用熱交換器、コンプレッサー、水加熱用熱交換器および膨張部を有する。
【００２７】
この実施形態の浴槽装置によれば、上記ヒートポンプユニットは、順に環状に接続される空気用熱交換器、コンプレッサー、水加熱用熱交換器および膨張部を有するので、大気からの熱を合理的に集めることができるばかりでなく、上記ヒートポンプユニットは、一般に市場にでているものと同じ構成であり、信頼性がある。
【００２８】
また、一実施形態の浴槽装置では、上記貯湯タンクユニットは、上記ナノバブル含有水を内部に収容する貯湯タンクを有し、この貯湯タンク内に、充填材が配置されている。
【００２９】
この実施形態の浴槽装置によれば、上記貯湯タンク内に、充填材が配置されているので、上記充填材に微生物を繁殖させることができて、上記充填材に繁殖した微生物で浴槽水中のアカなどの有機物を分解できる。したがって、浴槽水を清潔に保つことができると同時に、何度も浴槽水を使用することができて、節水を実現することができる。
【００３０】
また、一実施形態の浴槽装置では、上記充填材は、活性炭である。
【００３１】
この実施形態の浴槽装置によれば、上記充填材は、活性炭であるので、浴槽水中の有機物を活性炭に吸着でき、また、繰り返し使用される浴槽水を活性炭によって脱色できる。
【００３２】
また、一実施形態の浴槽装置では、上記充填材は、木炭である。
【００３３】
この実施形態の浴槽装置によれば、上記充填材は、木炭であるので、活性炭ほど効力は無いが、浴槽水中の有機物を木炭に吸着でき、また、繰り返し使用される浴槽水を木炭によって脱色できる。
【００３４】
また、一実施形態の浴槽装置では、上記充填材は、ひも状型ポリ塩化ビニリデン充填物である。
【００３５】
この実施形態の浴槽装置によれば、上記充填材は、ひも状型ポリ塩化ビニリデン充填物であるので、多量の微生物を上記ひも状型ポリ塩化ビニリデン充填物に繁殖させて、浴槽水中のアカとしての有機物を微生物分解して、浴槽水の水質を大幅に向上させることができる。
【００３６】
また、一実施形態の浴槽装置では、上記充填材は、リング型ポリ塩化ビニリデン充填物である。
【００３７】
この実施形態の浴槽装置によれば、上記充填材は、リング型ポリ塩化ビニリデン充填物であるので、多量の微生物を上記リング型ポリ塩化ビニリデン充填物に繁殖させて、浴槽水中のアカとしての有機物を微生物分解して、浴槽水の水質を大幅に向上させることができる。
【００３８】
また、一実施形態の浴槽装置では、
上記ナノバブル発生機は、
マイクロバブル発生部を有する気液混合循環ポンプと、
上記マイクロバブル発生部に接続されて上記マイクロバブル発生部への空気の流量を調整するバルブと、
上記気液混合循環ポンプの下流側に接続されると共に上記気液混合循環ポンプから発生したマイクロバブルをナノバブルにせん断する気体せん断部と
を有する。
【００３９】
この実施形態の浴槽装置によれば、上記ナノバブル発生機は、マイクロバブル発生部を有する気液混合循環ポンプと、上記マイクロバブル発生部に接続されて上記マイクロバブル発生部への空気の流量を調整するバルブと、上記気液混合循環ポンプの下流側に接続されると共に上記気液混合循環ポンプから発生したマイクロバブルをナノバブルにせん断する気体せん断部とを有するので、上記気液混合循環ポンプで、マイクロバブルを製造し、続いて、マイクロバブルを上記気体せん断部に導入して、上記気体せん断部でナノバブルを製造する２段方式であり、かつ、上記バルブで、上記マイクロバブル発生部への空気量まで正確に制御可能なので、ナノバブルを正確にしかも安定的に製造することができる。
【００４０】
また、一実施形態の浴槽装置では、上記制御部は、上記バルブの開度を制御する。
【００４１】
この実施形態の浴槽装置によれば、上記制御部は、上記バルブの開度を制御するので、上記マイクロバブル発生部への空気量を正確に制御して、ナノバブルを正確にしかも安定的に製造できる。また、ナノバブルを製造するとき、上記バルブの開度による空気量を正確に減少させる一方、マイクロナノバブルを製造するとき、上記バルブの開度による空気量を正確に増加させる。
【００４２】
また、一実施形態の浴槽装置では、上記気液混合循環ポンプの回転数を制御する回転数制御機を設け、上記制御部は、上記回転数制御機を制御する。
【００４３】
この実施形態の浴槽装置によれば、上記気液混合循環ポンプの回転数を制御する回転数制御機を設け、上記制御部は、上記回転数制御機を制御するので、上記気液混合循環ポンプの回転数を制御して、正確に製造することができる。
【００４４】
また、一実施形態の浴槽装置では、上記ナノバブル発生機は、ナノバブルとマイクロナノバブルとを選択的に、製造する。
【００４５】
ここで、上記マイクロナノバブルとは、１０μｍから数百ｎｍ前後の直径を有する気泡をいう。上記マイクロナノバブルを含有する水は、白濁している。
【００４６】
この実施形態の浴槽装置によれば、上記ナノバブル発生機は、ナノバブルとマイクロナノバブルとを選択的に、製造するので、ナノバブルのせん断圧壊による発熱が、必要ない場合は、マイクロナノバブルを発生させて、上記貯湯タンクユニットの温度の不必要な上昇を防止することができる。すなわち、ナノバブルとマイクロナノバブルとの使い分けで、上記貯湯タンクユニットの水温を調整する。
【００４７】
また、ナノバブルは、無色透明で、発生しているかどうか肉眼では、確認できないが、マイクロナノバブルは、白濁しているので、最初にマイクロナノバブルを発生させて、白濁を確認してから、白濁から透明なナノバブルを肉眼で確認しながら製造することができる。
【００４８】
また、一実施形態の浴槽装置では、上記気体せん断部は、旋回流型バブル発生機である。
【００４９】
この実施形態の浴槽装置によれば、上記気体せん断部は、旋回流型バブル発生機であるので、物理的、生物的、化学的な性状の異なるナノバブルを製造することができる。
【００５０】
また、一実施形態の糖尿病治療装置では、上記浴槽装置を有することを特徴としている。
【００５１】
この実施形態の糖尿病治療装置によれば、上記浴槽装置を有するので、上記浴槽装置を医療の分野に利用できる。
【００５２】
また、一実施形態の美容装置では、上記浴槽装置を有することを特徴としている。
【００５３】
この実施形態の美容装置によれば、上記浴槽装置を有するので、上記浴槽装置を医療の分野に利用できる。
【００５４】
また、一実施形態の育毛促進装置では、上記浴槽装置を有することを特徴としている。
【００５５】
この実施形態の育毛促進装置によれば、上記浴槽装置を有するので、上記浴槽装置を医療の分野に利用できる。
【発明の効果】
【００５６】
この発明の浴槽装置によれば、ナノバブルを含有するナノバブル含有水を作成するナノバブル発生部と、このナノバブル発生部に環状に接続される貯湯タンクユニットと、この貯湯タンクユニットに接続されるヒートポンプユニットと、上記ナノバブル発生部と上記貯湯タンクユニットとの間を循環し上記ヒートポンプユニットによって加熱された上記ナノバブル含有水が供給される浴槽部とを備えているので、省エネを図ることができ、かつ、血流量を増加して人体に良い影響を及ぼすことができる。
【００５７】
また、この発明の糖尿病治療装置によれば、上記浴槽装置を有するので、上記浴槽装置を医療の分野に利用できる。
【００５８】
また、この発明の美容装置によれば、上記浴槽装置を有するので、上記浴槽装置を医療の分野に利用できる。
【００５９】
また、この発明の育毛促進装置によれば、上記浴槽装置を有するので、上記浴槽装置を医療の分野に利用できる。
【００６０】
また、この発明の中枢神経疾患装置によれば、上記浴槽装置を有するので、上記浴槽装置を医療の分野に利用できる。
【００６１】
また、この発明の心血管系疾患装置によれば、上記浴槽装置を有するので、上記浴槽装置を医療の分野に利用できる。
【００６２】
また、この発明の代謝異常疾患装置によれば、上記浴槽装置を有するので、上記浴槽装置を医療の分野に利用できる。
【００６３】
また、この発明の消化器疾患装置によれば、上記浴槽装置を有するので、上記浴槽装置を医療の分野に利用できる。
【００６４】
また、この発明の運動器疾患装置によれば、上記浴槽装置を有するので、上記浴槽装置を医療の分野に利用できる。
【００６５】
また、この発明の皮膚科領域疾患装置によれば、上記浴槽装置を有するので、上記浴槽装置を医療の分野に利用できる。
【発明を実施するための最良の形態】
【００６６】
以下、この発明を図示の実施の形態により詳細に説明する。
【００６７】
（第１の実施形態）
図１は、本発明の浴槽装置の第１実施形態を模式的に示す図である。この浴槽装置は、ナノバブル浴槽ユニット３９と自然冷媒ヒートポンプ方式給湯機２９とを有する。
【００６８】
上記ナノバブル浴槽ユニット３９は、ナノバブル発生部２と浴槽部３とを有する。上記自然冷媒ヒートポンプ方式給湯機２９は、いわゆる「エコキュート」であり、貯湯タンクユニット２７とヒートポンプユニット２８とを有する。
【００６９】
上記ナノバブル発生部２は、水中のマイクロバブルをせん断圧壊しナノバブルを発生させてナノバブルを含有するナノバブル含有水を作成する。上記貯湯タンクユニット２７は、上記ナノバブル発生部２に環状に接続される。上記ヒートポンプユニット２８は、上記貯湯タンクユニット２７に接続される。上記浴槽部３は、上記ナノバブル発生部２と上記貯湯タンクユニット２７との間を循環し上記ヒートポンプユニット２８によって加熱された上記ナノバブル含有水が供給される。
【００７０】
上記浴槽部３内の上記ナノバブル含有水は、上記ナノバブル発生部２と上記貯湯タンクユニット２７とを環状に接続されて形成される環状経路に、戻される。
【００７１】
ここで、上記マイクロバブルとは、１０μｍ〜数十μｍの直径を有する気泡をいい、水中で縮小していき、ついには消滅（完全溶解）してしまう。
【００７２】
上記ナノバブルとは、数百ｎｍ以下の直径を有する気泡をいい、具体的には、１μｍ以下の１０ｎｍ〜９００ｎｍの直径を有する気泡をいう。上記ナノバブルは、１０日以上水の中に存在し、上記ナノバブルを含有する水は、透明である。
【００７３】
マイクロナノバブルとは、１０μｍから数百ｎｍ前後の直径を有する気泡をいう。マイクロナノバブルは、マイクロバブルとナノバブルとが混合したバブルであるといえる。上記マイクロナノバブルを含有する水は、白濁している。白濁している超微細気泡としてのマイクロナノバブルは、物質に付着して、物質を浮上させる。なお、通常のバブル（気泡）は、水の中を上昇して、ついには表面でパンとはじけて消滅する。
【００７４】
上記ナノバブル発生部２は、上記浴槽部３に設置される濁度計２２と、この濁度計２２からの信号を信号線１８を介して受ける濁度調節計２１と、この濁度調節計２１からの信号を信号線１８を介して受ける（制御部の一例としての）シーケンサー２０と、このシーケンサー２０からの信号により制御されるナノバブル発生機６０とを有する。
【００７５】
上記ヒートポンプユニット２８は、順に環状に接続される空気用熱交換器３６、コンプレッサー３５、水加熱用熱交換器３４および（膨張部の一例としての）膨張弁３７を有する。上記空気用熱交換器３６、上記コンプレッサー３５、上記水加熱用熱交換器３４および上記膨張弁３７は、ヒートポンプユニット収容機３８に収容されている。
【００７６】
上記貯湯タンクユニット２７は、上記ナノバブル含有水を内部に収容する貯湯タンク３１と、この貯湯タンク３１を収容する貯湯タンク収容機３０とを有する。上記貯湯タンク収容機３０と上記貯湯タンク３１との間には、断熱材４７が配置されている。
【００７７】
上記ナノバブル発生機６０は、マイクロバブル発生部７を有する気液混合循環ポンプ４と、上記マイクロバブル発生部７に空気配管１６を介して接続されて上記マイクロバブル発生部７への空気の流量を調整する（バルブの一例としての）電動ニードルバルブ１７と、上記気液混合循環ポンプ４の下流側に吐出配管９を介して接続されると共に上記気液混合循環ポンプ４から発生したマイクロバブルをナノバブルにせん断圧壊する気体せん断部８とを有する。
【００７８】
上記シーケンサー２０は、信号線１９を介して、上記電動ニードルバルブ１７の開度を制御する。上記シーケンサー２０は、信号線１８を介して、上記気液混合循環ポンプ４の吐出量や運転を制御する。上記気体せん断部８は、例えば、旋回流型バブル発生機である。
【００７９】
上記ナノバブル発生機６０は、ナノバブルとマイクロナノバブルとを選択的に、製造する。
【００８０】
上記ナノバブル発生機６０と上記貯湯タンク３１とは、バルブ４５が設けられた循環配管４５によって、環状に接続されている。上記ヒートポンプユニット２８の上記水加熱用熱交換器３４と上記貯湯タンク３１とは、循環ポンプ３３が設けられた循環配管５５によって、環状に接続されている。
【００８１】
上記貯湯タンク３１には、給水配管３２が接続され、外部から給水される。上記貯湯タンク３１には、台所行き配管４０、シャワーおよびフロ行き配管４１、および、洗濯機行き配管４６が接続されている。
【００８２】
上記シャワーおよびフロ行き配管４１は、バルブ１２，１５を介して、シャワー行き配管４２およびフロ行き配管４３に分岐されている。上記シャワー行き配管４２の下流側には、シャワー口２４が取り付けられ、矢印に示すように、シャワーが流出される。上記フロ行き配管４３の下流側は、上記浴槽部３に接続されている。
【００８３】
上記台所行き配管４０および上記洗濯機行き配管４６の上流側には、それぞれ、バルブ２６が接続されている。上記台所行き配管４０の下流側は、洗濯機に接続され、上記洗濯機行き配管４６の下流側は、台所に接続されている。
【００８４】
上記浴槽部３への給湯管５３が、（図示しない）給湯機に接続され、この給湯管５３には、給湯バルブ５４が接続されている。
【００８５】
上記浴槽部３は、浴槽容器１を有し、この浴槽容器１には、この浴槽容器１内にナノバブル含有水が吐出される吐出口１０が設けられ、この浴槽容器１外にナノバブル含有水が吸い込まれる吸込口６が設けられている。上記浴槽容器１には、ドレーンバルブ１３が設けられている。
【００８６】
上記吐出口１０は、上記気体せん断部８の下流側の上記循環配管４５に接続される吐出配管９に接続されている。上記吐出配管９には、バルブ１１が設けられている。上記吸込口６は、上記気液混合循環ポンプ４の上流側の上記循環配管４５に接続される吸込配管５に接続されている。上記吸込配管５には、バルブ１４が設けられている。
【００８７】
上記構成の浴槽装置は、以下の第１ステップから第４ステップに示すように、使用される。
【００８８】
まず、第１ステップは、上記貯湯タンク３１に、高温のナノバブル含有水を作成するステップである。具体的に述べると、上記貯湯タンク３１の水を、上記気液混合循環ポンプ４の稼動で、上記気体せん断部８からナノバブルを発生させて、上記貯湯タンク３１と上記気液混合循環ポンプ４との間で循環させることによって、ナノバブルのせん断圧壊が起こり、上記貯湯タンク３１に高温水を作成することができる。
【００８９】
ここで、上記ナノバブル発生機６０で熱が発生するメカニズムを詳しく説明する。上記マイクロバブル発生部７を有する上記気液混合循環ポンプ４は、例えば揚程４０ｍ以上の高揚程のポンプであり、水と空気を混合する。そして、上記マイクロバブル発生部７において、流体力学的に圧力を制御することで、負圧形成部分から気体を吸入し、高揚程ポンプで高速流体運動させて、負圧部を形成し、マイクロバブルを発生させる。より解かりやすく簡単に説明すると、高揚程ポンプで水と空気を効果的に自給混合溶解し、圧送することにより、マイクロバブル白濁水を製造する。
【００９０】
その後、上記マイクロバブル発生部７を有する上記気液混合循環ポンプ４で、発生させたマイクロバブルを、上記気体せん断部８に配管９を通じて圧送する際、上記気体せん断部８においては、高速流体運動としてせん断することによって、マイクロバブルからナノバブルが発生すると同時に、超高温の極限反応場を形成させる。すなわち、超高温の極限反応場が形成されると、局部的に高温高圧状態となり、フリーラジカルができ、同時に熱を発生する。
【００９１】
上述のメカニズムを証明するデータを、以下の［表１］に、示す。
【００９２】
上記ナノバブル発生機６０と８０リットルの実験水槽とを準備して、上記ナノバブル発生機６０と８０リットル実験水槽の間で循環させた。そして、上記気液混合循環ポンプ４の温度と、上記実験水槽の水温とを、測定した。なお、対象水を、水道水とし、上記気液混合循環ポンプ４を、動力三相２００ｖ×３．７ＫＷの特殊ポンプとし、上記実験水槽の容量を、約１００リットルとした。
［表１］
2008178440.tif 000003
【００９３】
上記［表１］から、上記ナノバブル発生機６０と上記実験水槽との間で、ナノバブル含有水を循環させることで、上記実験水槽のナノバブル含有水の温度が上昇しているのがわかる。
【００９４】
また、第１ステップでは、大気４４の熱を、上記ヒートポンプユニット２８を使用して、上記貯湯タンク３１に熱を蓄熱することができる。
【００９５】
つまり、自然冷媒ヒートポンプ方式給湯機２９では、大気４４から熱を、上記空気用熱交換器３６で吸収して、冷媒としてのＣＯ２に移す。そして、上記コンプレッサー３５で、ＣＯ２を圧縮して高温にする。冷媒であるＣＯ２の熱を上記水加熱用熱交換器３４に伝えてお湯を作る。
【００９６】
そのお湯をつくる際に、上記膨張弁３７を使用して、冷媒であるＣＯ２を膨張させて低温にする。そして、上記貯湯タンク３１のナノバブル水を上記水加熱用熱交換器３４を通過させて、加温する為に、上記循環ポンプ３３を運転する。
【００９７】
なお、上記貯湯タンク３１の高温水を作成するには、深夜電力を使用して、高温水を作成し、深夜以外の時間において、使用することが、経済的である。そして、上記貯湯タンク３１は、上記貯湯タンク収容機３０の中に充填された上記断熱材４７によって、保温されている。
【００９８】
次に、第２ステップは、上記貯湯タンク３１から、上記浴槽容器１へ、上記フロ行き配管４３を介して、ナノバブル含有高温水（ナノバブル量は不充分）を、一定水位まで、新規に給湯するステップである。上記貯湯タンク３１の水温は、最低約２０℃から約４０℃まで、変動するので、次の第３ステップで、上記浴槽容器１の入浴する際の浴槽水の水温を、（図示しない）給湯機に接続された上記給湯管５３によって、調整する。
【００９９】
次に、第３ステップは、上記浴槽容器１内の浴槽水中のナノバブル含有量を最大とし、かつ、水温を入浴する条件である水温４１℃から４２℃とするステップである。
【０１００】
つまり、上記給湯バルブ５４を開いて、上記給湯管５３より給湯しながら、上記気液混合循環ポンプ４を運転して、目的水位にすると同時に入浴に最適な水温にし、かつ、目的のナノバブルを充分含有させたナノバブル浴槽水とする。水温は、最近の浴槽に設置されている汎用の（図示しない）表示パネルで確認する。
【０１０１】
このように、最適な水温となるように調整して、上記浴槽容器１内の浴槽水に、上記気液混合循環ポンプ４を運転して、ナノバブルを発生含有させる。上記気液混合循環ポンプ４の運転時間は、１５分以内を基本とするが、ナノバブルの発生状態を、上記濁度計２２の濁度で確認する。すなわち、ナノバブルが確実に発生している条件が、濁度１度以下であるから、濁度１度以下で、上記気液混合循環ポンプ４の運転が、ナノバブルのみを発生している条件となる。
【０１０２】
次に、第４ステップは、上記浴槽容器１内の浴槽水を浄化するステップである。
【０１０３】
上記浴槽容器１内の浴槽水には、入浴することによって、人体からの有機物としてのアカが溶け出している。そして、アカとしての有機物を含む浴槽水は、上記浴槽容器１の上記吸込口６から、上記吸込配管５を経て、上記気液混合循環ポンプ４に流入され、上記ナノバブル発生部２と上記貯湯タンクユニット２７との間を循環する。
【０１０４】
上記貯湯タンク３１では、浮遊している微生物が流動状態で、ナノバブルよって、活性化し、アカとしての有機物を短時間で分解する。
【０１０５】
なお、微生物は、浴槽水に時間の経過と共に自然発生するもので、高温の浴槽水でも、時間の経過とともに、高温微生物が発生する。また、自然発生する微生物であるから、人体に対しても、特に問題となることはない。従来より、浴槽においては多種多様の微生物が発生し、繁殖しているが、人体に対しても無害であった。また、ナノバブルによる強力な酸化作用で、アカとしての有機物が分解される。
【０１０６】
なお、上記貯湯タンク３１には、微生物を固定化するための固定化担体が充填されていた方が、微生物の有機物分解作用は、効力が増加するが、固定化担体が充填されていなくても、すなわち、微生物が流動状態でも、ある程度の有機物分解作用は、期待できうる。この第４ステップでは、浴槽水の浄化が目的であるから、上記自然冷媒ヒートポンプ方式給湯機２９が稼動していなくてもよい。
【０１０７】
次に、濁度に関して、説明すると、ナノバブルが発生していると、どの様な条件でも、上記浴槽部３の浴槽水の濁度は１度以下となることが、実験により判明している。つまり、上記濁度計２２が濁度１度以下であるとき、ナノバブルが発生している条件である。
【０１０８】
上記ナノバブル浴槽ユニット３９では、上記マイクロバブル発生部７への上記電動ニードルバルブ１７の開度による供給空気の量により、最終的に、上記気体せん断部８から、マイクロナノバブルが発生する場合と、ナノバブルのみが発生する場合とがある。
【０１０９】
ナノバブルが発生する条件の方が、マイクロナノバブルが発生する条件より、空気量すなわち、上記電動ニードルバルブ１７への空気量が少ない。すなわち、上記電動ニードルバルブ１７への供給空気量が、新規の浴槽水の場合、０．８リットル／分以上の場合は、マイクロナノバブルが発生し、０．７リットル／分以下の場合は、ナノバブルが発生する。
【０１１０】
上記浴槽部３では、上記浴槽容器１の側面の上記吐出口１０から、ナノバブルが、上記浴槽容器１内に吐出される一方、上記浴槽容器１の側面の上記吸込口６から、浴槽水が、上記気液混合循環ポンプ４によって、吸い込まれる。その際に、水流２３を形成する。また、上記浴槽容器１内の浴槽水を完全に入れ替える時は、上記浴槽容器１の下部の上記ドレーンバルブ１３から、浴槽水を排出する。
【０１１１】
なお、ナノバブル含有水を浴槽水として利用しない場合もあり、上記シャワー行き配管４２の上記バルブ１２と、上記フロ行き配管４３の上記バルブ１５とを、閉じ、洗濯機への上記バルブ２６と台所への上記バルブ２６とを、開けて、ナノバブル含有温水を洗濯機や台所に使用して、洗濯機での洗剤の使用量の削減や、台所での食器の洗浄における合成洗剤の使用量を大幅に削減できる。
【０１１２】
なお、上記ナノバブル発生機６０は、市販されているものならば、メーカーを限定するものではなく、具体的には、株式会社  協和機設の商品を採用した。他の商品としても、他メーカーの商品も数多く販売されてくるものと予想されるが、目的に従って選定すれば良い。
【０１１３】
上記構成の浴槽装置によれば、上記ナノバブル発生部２によって、水中のマイクロバブルをせん断圧壊しナノバブルを発生させてナノバブルを含有するナノバブル含有水を作成するので、上記マイクロバブルをせん断圧壊し上記ナノバブルを発生するときに発熱し、この熱を利用して、上記ナノバブル含有水を加熱できる。また、上記ナノバブル含有水は、マイクロナノバブル含有水よりも、血流量を増加できて、人体に良い影響を及ぼすことができる。
【０１１４】
したがって、上記ナノバブル発生部２および上記ヒートポンプユニット２８によって、上記ナノバブル含有水を加熱できて、省エネを図ることができ、かつ、上記ナノバブル含有水によって、血流量を増加して人体に良い影響を及ぼすことができる。
【０１１５】
詳しく述べると、本発明では、以下の特徴点(i)〜(v)を、見出した。
【０１１６】
特徴点(i)では、ナノバブルがせん断圧壊時に多量の熱を発生することを見出し、特に、上記貯湯タンクユニット２７と上記ナノバブル発生部２との間で、循環運転すると、上記貯湯タンクユニット２７の水温が大幅に上昇することを見出した。
【０１１７】
特徴点(ii)では、上記貯湯タンクユニット２７の水温を上昇させる方法として、ナノバブルがせん断圧壊時する時の多量の熱、および、上記ヒートポンプユニット２８からの熱を、上記貯湯タンクユニット２７にて混合蓄熱して利用するシステムの構築が、新規の省エネになることを見出した。
【０１１８】
特徴点(iii)では、マイクロナノバブルよりもナノバブルの方が、血流量の増加が期待でき、糖尿病治療には、有効であることを見出した。
【０１１９】
特徴点(iv)では、糖尿病治療には、薬物療法としての血糖降下薬による治療に合わせて、ナノバブル浴槽による血流量増加治療を同時に合わせて実施した方が、より効果的であることを見出した。
【０１２０】
特徴点(v)では、上記浴槽部３のナノバブル含有水を、シャワーに利用すれば、洗顔効果があることを見出し、また、上記浴槽部３のナノバブル含有水を、洗濯機でリサイクル使用すれば、ナノバブル含有水の洗浄力によって、洗濯機での洗剤使用量を削減できることを見出した。
【０１２１】
また、上記ナノバブル発生部２は、上記浴槽部３に設置される濁度計２２と、この濁度計２２からの信号を受ける濁度調節計２１と、この濁度調節計２１からの信号を受けるシーケンサー２０と、このシーケンサー２０からの信号により制御されるナノバブル発生機６０とを備えるので、ナノバブルを合理的にまた正確に発生させることができる。
【０１２２】
また、上記ヒートポンプユニット２８は、順に環状に接続される空気用熱交換器３６、コンプレッサー３５、水加熱用熱交換器３４および膨張弁３７を有するので、大気からの熱を合理的に集めることができるばかりでなく、上記ヒートポンプユニット２８は、一般に市場にでているものと同じ構成であり、信頼性がある。
【０１２３】
また、上記ナノバブル発生機６０は、マイクロバブル発生部７を有する気液混合循環ポンプ４と、上記マイクロバブル発生部７に接続されて上記マイクロバブル発生部７への空気の流量を調整する電動ニードルバルブ１７と、上記気液混合循環ポンプ４の下流側に接続されると共に上記気液混合循環ポンプ４から発生したマイクロバブルをナノバブルにせん断する気体せん断部８とを有するので、上記気液混合循環ポンプ４で、マイクロバブルを製造し、続いて、マイクロバブルを上記気体せん断部８に導入して、上記気体せん断部８でナノバブルを製造する２段方式であり、かつ、上記電動ニードルバルブ１７で、上記マイクロバブル発生部７への空気量まで正確に制御可能なので、ナノバブルを正確にしかも安定的に製造することができる。
【０１２４】
また、上記シーケンサー２０は、上記電動ニードルバルブ１７の開度を制御するので、上記マイクロバブル発生部７への空気量を正確に制御して、ナノバブルを正確にしかも安定的に製造できる。また、ナノバブルを製造するとき、上記電動ニードルバルブ１７の開度による空気量を正確に減少させる一方、マイクロナノバブルを製造するとき、上記電動ニードルバルブ１７の開度による空気量を正確に増加させる。
【０１２５】
また、上記ナノバブル発生機６０は、ナノバブルとマイクロナノバブルとを選択的に、製造するので、ナノバブルのせん断圧壊による発熱が、必要ない場合は、マイクロナノバブルを発生させて、上記貯湯タンクユニット２７の温度の不必要な上昇を防止することができる。すなわち、ナノバブルとマイクロナノバブルとの使い分けで、上記貯湯タンクユニット２７の水温を調整する。
【０１２６】
また、ナノバブルは、無色透明で、発生しているかどうか肉眼では、確認できないが、マイクロナノバブルは、白濁しているので、最初にマイクロナノバブルを発生させて、白濁を確認してから、白濁から透明なナノバブルを肉眼で確認しながら製造することができる。
【０１２７】
また、上記気体せん断部８は、旋回流型バブル発生機であるので、物理的、生物的、化学的な性状の異なるナノバブルを製造することができる。
【０１２８】
また、上記構成の浴槽装置のナノバブル含有水は、人体の血流量増加による糖尿病治療、美容や育毛促進に利用され、また、上記浴槽装置での利用後の浴槽水は、洗濯機にリサイクルされ、また、浴槽水としては、アカとしての有機物を除去し、水質を改善して、リサイクル利用される。
【０１２９】
また、上記構成の浴槽装置のナノバブル含有水は、中枢神経疾患、心血管系疾患、代謝異常疾患、消化器疾患、運動器疾患、皮膚科領域疾患への治療に利用される。したがって、各種の疾患に利用でき、新規の治療法として活用できる。すなわち、高齢化が進展して現代社会におけて、多くの老人がかかえている老化問題に対して、有効な治療法となる。
【０１３０】
ここで、中枢神経疾患とは、代表として、アルツハイマー病や認知症等がある。心血管系疾患とは、慢性心不全、高血圧、脳梗塞、心筋梗塞等がある。代謝異常疾患とは、糖尿病、肥満、高脂血症等がある。消化器疾患とは、胃潰瘍、肝機能低下症等がある。運動器疾患とは、関節リウマチ、関節炎等がある。皮膚科領域疾患とは、皮膚老化、脱毛などがある。
【０１３１】
また、上記構成の浴槽装置の入浴と血糖降下薬の服用とによる相乗効果で糖尿病治療をする。したがって、糖尿病治療を短期間で行うことができる。また、高齢化が進展して現代社会におけて、多くの老人がかかえている老化問題に対して、有効な治療法となる。
【０１３２】
なお、上記血糖降下薬は、スルホニル尿素剤やビグアナイト剤である。したがって、上記構成の浴槽装置の入浴が、スルホニル尿素剤やビグアナイト剤による血糖降下作用を増強させることができる。
【０１３３】
（第２の実施形態）
図２は、この発明の浴槽装置の第２の実施形態を示している。図１に示す上記第１の実施形態と相違する点を説明すると、この第２の実施形態では、貯湯タンク３１内に、（充填材の一例としての）活性炭４８が配置されている。なお、この第２の実施形態において、上記第１の実施形態と同一の部分には、同一の参照番号を付して、詳細な説明を省略する。
【０１３４】
したがって、上記貯湯タンク３１内には、充填材としての活性炭４８が配置されているので、上記活性炭４８に微生物を繁殖させることができて、上記活性炭４８に繁殖した微生物で浴槽水中のアカなどの有機物を分解できる。また、浴槽水中の有機物を活性炭４８に吸着できる。また、繰り返し使用される浴槽水を活性炭４８によって脱色できる。したがって、浴槽水を清潔に保つことができると同時に、何度も浴槽水を使用することができて、節水を実現することができる。
【０１３５】
（第３の実施形態）
図３は、この発明の浴槽装置の第３の実施形態を示している。図１に示す上記第１の実施形態と相違する点を説明すると、この第３の実施形態では、貯湯タンク３１内に、（充填材の一例としての）木炭４９が配置されている。なお、この第３の実施形態において、上記第１の実施形態と同一の部分には、同一の参照番号を付して、詳細な説明を省略する。
【０１３６】
したがって、上記貯湯タンク３１内には、充填材としての木炭４９が配置されているので、上記木炭４９に微生物を繁殖させることができて、上記木炭４９に繁殖した微生物で浴槽水中のアカなどの有機物を分解できる。また、浴槽水中の有機物を木炭４９に吸着できる。また、繰り返し使用される浴槽水を木炭４９によって脱色できる。したがって、浴槽水を清潔に保つことができると同時に、何度も浴槽水を使用することができて、節水を実現することができる。
【０１３７】
（第４の実施形態）
図４は、この発明の浴槽装置の第４の実施形態を示している。図１に示す上記第１の実施形態と相違する点を説明すると、この第４の実施形態では、貯湯タンク３１内に、（充填材の一例としての）ひも状型ポリ塩化ビニリデン充填物５０が配置されている。なお、この第４の実施形態において、上記第１の実施形態と同一の部分には、同一の参照番号を付して、詳細な説明を省略する。
【０１３８】
したがって、上記貯湯タンク３１内には、充填材としてのひも状型ポリ塩化ビニリデン充填物５０が配置されているので、上記ひも状型ポリ塩化ビニリデン充填物５０に微生物を繁殖させることができて、上記ひも状型ポリ塩化ビニリデン充填物５０に繁殖した微生物で浴槽水中のアカなどの有機物を分解できる。また、多量の微生物を上記ひも状型ポリ塩化ビニリデン充填物５０に繁殖させて、浴槽水中のアカとしての有機物を微生物分解して、浴槽水の水質を大幅に向上させることができる。
【０１３９】
このように、浴槽水を清潔に保つことができると同時に、何度も浴槽水を使用することができて、節水を実現することができる。
【０１４０】
なお、多量に繁殖する微生物は、上記貯湯タンク３１内で、自然発生する微生物であるから、人体に対しても無害で、一般の浴槽に繁殖する微生物と基本的には、同じ種類である。一般の浴槽においても、毎日殺菌作業をしているわけではなく、多少繁殖していても、人体に対する害はない。温泉においても、調査すれば、各種の微生物が報告されているが、本発明も、微生物を、ただ単に充填物としての上記ひも状型ポリ塩化ビニリデン充填物５０に多量に繁殖させて、アカとしての有機物を多量の微生物で分解し、浴槽水の浄化を微生物的に実施して、水質を改善向上させて、繰り返し使用する内容である。また、ナノバブルは、水中に長期間持続するので、浴槽水を排水することは、もったいない内容である。成果としては、浴槽水を繰り返し使用するので、大幅に浴槽水の削減が可能となり、節水ができる。
【０１４１】
（第５の実施形態）
図５は、この発明の浴槽装置の第５の実施形態を示している。図１に示す上記第１の実施形態と相違する点を説明すると、この第５の実施形態では、貯湯タンク３１内に、（充填材の一例としての）リング型ポリ塩化ビニリデン充填物５１が配置されている。なお、この第５の実施形態において、上記第１の実施形態と同一の部分には、同一の参照番号を付して、詳細な説明を省略する。
【０１４２】
したがって、上記貯湯タンク３１内には、充填材としてのリング型ポリ塩化ビニリデン充填物５１が配置されているので、上記リング型ポリ塩化ビニリデン充填物５１に微生物を繁殖させることができて、上記リング型ポリ塩化ビニリデン充填物５１に繁殖した微生物で浴槽水中のアカなどの有機物を分解できる。また、多量の微生物を上記リング型ポリ塩化ビニリデン充填物５１に繁殖させて、浴槽水中のアカとしての有機物を微生物分解して、浴槽水の水質を大幅に向上させることができる。
【０１４３】
このように、浴槽水を清潔に保つことができると同時に、何度も浴槽水を使用することができて、節水を実現することができる。
【０１４４】
なお、多量に繁殖する微生物は、上記貯湯タンク３１内で、自然発生する微生物であるから、人体に対しても無害で、一般の浴槽に繁殖する微生物と基本的には、同じ種類である。一般の浴槽においても、毎日殺菌作業をしているわけではなく、多少繁殖していても、人体に対する害はない。温泉においても、調査すれば、各種の微生物が報告されているが、本発明も、微生物を、ただ単に充填物としての上記リング型ポリ塩化ビニリデン充填物５１に多量に繁殖させて、アカとしての有機物を多量の微生物で分解し、浴槽水の浄化を微生物的に実施して、水質を改善向上させて、繰り返し使用する内容である。また、ナノバブルは、水中に長期間持続するので、浴槽水を排水することは、もったいない内容である。成果としては、浴槽水を繰り返し使用するので、大幅に浴槽水の削減が可能となり、節水ができる。
【０１４５】
（第６の実施形態）
図６は、この発明の浴槽装置の第６の実施形態を示している。図１に示す上記第１の実施形態と相違する点を説明すると、この第６の実施形態では、気液混合循環ポンプ４の回転数を制御する回転数制御機５２を設け、シーケンサー２０は、上記回転数制御機５２を制御している。なお、この第６の実施形態において、上記第１の実施形態と同一の部分には、同一の参照番号を付して、詳細な説明を省略する。
【０１４６】
つまり、上記シーケンサー２０の信号を上記回転数制御機５２で受けて、上記気液混合循環ポンプ４の電動機の回転数を制御して、上記気体せん断部８でのナノバブル発生状態を制御している。
【０１４７】
このように、上記電動ニードルバルブ１７からの正確な空気量と上記気液混合循環ポンプ４の電動機の回転数とによって、ナノサイズのバブルの発生状態を正確に制御し、またナノバブルを製造することができる。ナノサイズといえども、浴槽に入浴した場合の効果には、ナノのサイズにおいても、差があることが判明しているので、浴槽水の条件に合わせて、上記電動ニードルバルブ１７からの正確な空気量と上記気液混合循環ポンプ４の電動機の正確な回転数とによって、ナノサイズのバブルを目的の大きさで製造することができる。
【０１４８】
（実験例）
図１の第１の実施形態に対応するナノバブル浴槽ユニット３９を製作した。このナノバブル浴槽ユニット３９において、浴槽容器１の容量を０．２ｍ３とし、気液混合循環ポンプ４の電動機の仕様を２．２ｋｗとした。
【０１４９】
そして、一人の患者の例であるが、血糖降下剤を服用しながらの条件で、食後２時間の血糖値を、ナノバブル含有水の浴槽に入浴する前の対策前と対策後で、比較すると、日によって異なるものの、血糖値が２０％から３０％まで、低下した。
【０１５０】
また、図示しないが、この発明の糖尿病治療装置は、上記第１〜上記第６の実施形態の何れか一つの浴槽装置を有しており、上記浴槽装置を医療の分野に利用できる。
【０１５１】
また、図示しないが、この発明の美容装置によれば、上記第１〜上記第６の実施形態の何れか一つの浴槽装置を有しており、上記浴槽装置を医療の分野に利用できる。
【０１５２】
また、図示しないが、この発明の育毛促進装置によれば、上記第１〜上記第６の実施形態の何れか一つの浴槽装置を有しており、上記浴槽装置を医療の分野に利用できる。
【０１５３】
また、図示しないが、この発明の中枢神経疾患装置によれば、上記第１〜上記第６の実施形態の何れか一つの浴槽装置を有しており、上記浴槽装置を医療の分野に利用できる。
【０１５４】
また、図示しないが、この発明の心血管系疾患装置によれば、上記第１〜上記第６の実施形態の何れか一つの浴槽装置を有しており、上記浴槽装置を医療の分野に利用できる。
【０１５５】
また、図示しないが、この発明の代謝異常疾患装置によれば、上記第１〜上記第６の実施形態の何れか一つの浴槽装置を有しており、上記浴槽装置を医療の分野に利用できる。
【０１５６】
また、図示しないが、この発明の消化器疾患装置によれば、上記第１〜上記第６の実施形態の何れか一つの浴槽装置を有しており、上記浴槽装置を医療の分野に利用できる。
【０１５７】
また、図示しないが、この発明の運動器疾患装置によれば、上記第１〜上記第６の実施形態の何れか一つの浴槽装置を有しており、上記浴槽装置を医療の分野に利用できる。
【０１５８】
また、図示しないが、この発明の皮膚科領域疾患装置によれば、上記第１〜上記第６の実施形態の何れか一つの浴槽装置を有しており、上記浴槽装置を医療の分野に利用できる。
【０１５９】
なお、この発明は上述の実施形態に限定されない。例えば、上記膨張弁３７の代わりに、キャピラリーチューブ等の膨張部を用いてもよい。また、上記電動ニードルバルブ１７の代わりに、手動バルブ等のバルブを用いてもよい。
【図面の簡単な説明】
【０１６０】
【図１】本発明の浴槽装置の第１実施形態を示す模式図である。
【図２】本発明の浴槽装置の第２実施形態を示す模式図である。
【図３】本発明の浴槽装置の第３実施形態を示す模式図である。
【図４】本発明の浴槽装置の第４実施形態を示す模式図である。
【図５】本発明の浴槽装置の第５実施形態を示す模式図である。
【図６】本発明の浴槽装置の第６実施形態を示す模式図である。
【符号の説明】
【０１６１】
１  浴槽容器
２  ナノバブル発生部
３  浴槽部
４  気液混合循環ポンプ
５  吸込配管
６  吸込口
７  マイクロバブル発生部
８  気体せん断部
９  吐出配管
１０  吐出口
１１  バルブ
１２  バルブ
１３  ドレーンバルブ
１４  バルブ
１５  バルブ
１６  空気配管
１７  電動ニードルバルブ
１８  信号線
１９  信号線
２０  シーケンサー（制御部）
２１  濁度調節計
２２  濁度計
２３  シャワー口
２４  水流
２５  バルブ
２６  バルブ
２７  貯湯タンクユニット
２８  ヒートポンプユニット
２９  自然冷媒ヒートポンプ方式給湯機ユニット
３０  貯湯タンク収容機
３１  貯湯タンク
３２  給水配管
３３  循環ポンプ
３４  水加熱用熱交換器
３５  コンプレッサー
３６  空気用熱交換器
３７  膨張弁（膨張部）
３８  ヒートポンプユニット収容機
３９  ナノバブル浴槽ユニット
４０  台所行き配管
４１  シャワー及びフロ行き配管
４２  シャワー行き配管
４３  フロ行き配管
４４  大気
４５  循環配管
４６  洗濯機行き配管
４７  断熱材
４８  活性炭
４９  木炭
５０  ひも状型ポリ塩化ビニリデン充填物
５１  リング型ポリ塩化ビニリデン充填物
５２  回転数制御機
５３  給湯管
５４  給湯バルブ
５５  循環配管
６０  ナノバブル発生機
【図１】
2008178440.tif 000004
【図２】
2008178440.tif 000005
【図３】
2008178440.tif 000006
【図４】
2008178440.tif 000007
【図５】
2008178440.tif 000008
【図６】
2008178440.tif 000009